(57)【要約】      （修正有）【課題】装着時に給電部が外部に露出することを防止し、高い使用性を有する血圧測定装置を提供する。【解決手段】血圧測定装置１は、装置本体３と、装置本体３の外側面の対称位置に設けられるベルト４と、手首の周方向に倣って湾曲するとともに、一端と他端とが離間して形成され、装置本体に固定されるカーラ５と、カーラの内周面に設けられ、流体により膨張するカフ構造体６と、カーラに設けられた給電部８と、を備える。【選択図】図５
2019118439.tif 000002
【特許請求の範囲】
【請求項１】
装置本体と、
手首の周方向に倣って湾曲するとともに、一端と他端とが離間して形成され、前記装置本体に固定されるカーラと、
前記装置本体の外側面の対称位置に設けられ、前記カーラの外面を覆うベルトと、
前記カーラの内周面に設けられ、流体により膨張するカフ構造体と、
前記カーラに設けられた給電部と、
を備える、血圧測定装置。
【請求項２】
前記給電部は、前記カーラの外面又は内面に設けられる、請求項１に記載の血圧測定装置。
【請求項３】
前記カーラは、一端側の外面が前記装置本体に固定され、前記一端が前記装置本体から突出するとともに、前記一端及び前記他端が隣接し、
前記給電部は、前記カーラの前記装置本体から突出する前記一端側に設けられる、請求項２に記載の血圧測定装置。
【請求項４】
前記カーラは、前記装置本体から突出する前記一端の外面に窪みを有し、
前記給電部は、前記窪みに設けられた配線部、及び、前記窪みに設けられ、前記配線部に接続された給電端子を備える、請求項３に記載の血圧測定装置。
【請求項５】
充電用ケーブルの端部に設けられた矩形板状の本体と、
手首の周方向に倣って湾曲するとともに、一端と他端とが離間して形成された、血圧測定装置に用いられるカーラの端部に設けられた給電部と電気的に接続する、前記本体に設けられた接続端子と、
前記接続端子が前記給電部と電気的に接続した状態で前記カーラに前記本体を固定する固定手段と、
を備えるコネクタ。
【発明の詳細な説明】
【技術分野】
【０００１】
本発明は、血圧を測定する血圧測定装置及びコネクタに関する。
【背景技術】
【０００２】
血圧の測定に用いる血圧測定装置は、医療設備においてのみならず、家庭内においても、健康状態を確認する手段として利用されている。血圧測定装置は、例えば、カフを生体の上腕又は手首等に巻き付け、カフを膨張及び収縮させ、圧力センサによりカフの圧力を検出することで、動脈壁の振動を検出して血圧を測定する。
【０００３】
血圧測定装置は、例えば、カフとカフに流体を供給する装置本体とが一体に構成された所謂一体型と呼ばれるものが知られている。一体型の血圧測定装置は、例えば、装置本体に電源を供給する手段として、一次電池や二次電池等を用いる構成が知られている。
【０００４】
昨今、血圧測定装置は、ウェアラブルデバイスとして小型化が求められており、このような血圧測定装置には、電源を供給する手段として二次電池が用いられる。
【先行技術文献】
【特許文献】
【０００５】
【特許文献１】特開２００７−１７５１８５号公報
【発明の概要】
【発明が解決しようとする課題】
【０００６】
一般的には、ウェアラブルデバイスの血圧測定装置は、小型化の要望が高いことから、外部電源と接続するための給電部を設ける場所に制約が生じる。例えば、装置本体のケースに給電部を設けることも考えられるが、給電部が外部に露出することから、装置本体の意匠性が損なわれる虞がある。また、給電部が外部に露出すると、使用者が血圧測定装置を装着して行動すると、給電部に水やほこり等が付着する虞や給電部を損傷する虞もある。例えば、給電部を外部に露出することを防止するために、給電部をカバー等で覆うことも考えられるが、血圧測定装置は繰り返し充電することを要するところ、充電ごとにカバーを着脱させる構成であると、充電のために給電部と給電用のケーブルとを接続する作業が煩雑になり、使用性が悪いという問題もある。
【０００７】
そこで本発明は、装着時に給電部が外部に露出することを防止し、高い使用性を有する血圧測定装置及びコネクタを提供することを目的とする。
【課題を解決するための手段】
【０００８】
一態様によれば、装置本体と、前記装置本体の外側面の対称位置に設けられるベルトと、手首の周方向に倣って湾曲するとともに、一端と他端とが離間して形成され、前記装置本体に固定されるカーラと、前記カーラの内周面に設けられ、流体により膨張するカフ構造体と、前記カーラに設けられた給電部と、を備える、血圧測定装置が提供される。
【０００９】
ここで、流体とは、液体及び空気を含む。カフ構造体とは、血圧を測定するときに生体の手首等に巻き付けられ、流体を供給することで膨張する空気袋等の袋状構造体を含むものである。
【００１０】
この態様によれば、カーラはベルトに覆われるとともに、カーラに給電部が設けられることから、血圧測定装置を装着したときに給電部は外部に露出せず、充電時において給電部を外部に露出させることができる。結果、血圧測定装置１は、手首に装着したときに給電部を保護できるとともに、血圧測定装置１の外観の意匠性の低下を抑制できる。
【００１１】
上記一態様の血圧測定装置において、前記給電部は、前記カーラの外面又は内面に設けられる血圧測定装置が提供される。
【００１２】
この態様によれば、カーラの外面に給電部を設けることで、ベルトによりカーラに設けられた給電部を覆うことが可能となる。また、カーラの内面に給電部を設けることで、血圧測定装置の装着時に生体により覆われる。このため、血圧測定装置の装着時に給電部が外部に露出することを防止できる。また、充電時にカーラから離間する方向にベルトを回転させるだけで給電部を露出させることができることから、高い使用性を有する。
【００１３】
上記一態様の血圧測定装置において、前記カーラは、一端側の外面が前記装置本体に固定され、前記一端が前記装置本体から突出するとともに、前記一端及び前記他端が隣接し、前記給電部は、前記装置本体の前記装置本体から突出する前記一端に設けられる、血圧測定装置が提供される。
【００１４】
この態様によれば、給電部が装置本体に近い位置に設けられることから、装置本体から給電部までの長さを極力短くすることができる。
【００１５】
上記一態様の血圧測定装置において、前記カーラは、前記装置本体から突出する前記一端の外面に窪みを有し、前記給電部は、前記窪みに設けられた配線部、及び、前記窪みに設けられ、前記配線部に接続された給電端子を備える、血圧測定装置が提供される。
【００１６】
この態様によれば、カーラの窪みに配線部及び給電端子が設けられることから、血圧測定装置を装着したときに、ベルトが給電部と干渉することを防止できる。
【００１７】
一態様によれば、充電用ケーブルの端部に設けられた矩形板状の本体と、手首の周方向に倣って湾曲するとともに、一端と他端とが離間して形成された、血圧測定装置に用いられるカーラの端部に設けられた給電部と電気的に接続する、前記本体に設けられた接続端子と、前記接続端子が前記給電部と電気的に接続した状態で前記カーラに前記本体を固定する固定手段と、を備えるコネクタが提供される。
【００１８】
この態様によれば、コネクタは、固定手段によりカーラに固定され、接続端子が給電部と電気的に接続できることから、カーラの端部に給電部が設けられていても、接続端子及び給電部の電気的な接続が容易に行えることから高い使用性を有する。
【発明の効果】
【００１９】
本発明は、装着時に給電部が外部に露出することを防止し、高い使用性を有する血圧測定装置及びコネクタを提供することができる。
【図面の簡単な説明】
【００２０】
【図１】本発明の第１の実施形態に係る血圧測定装置の構成を示す斜視図。
【図２】同血圧測定装置の構成を示す斜視図。
【図３】同血圧測定装置の構成を示す分解図。
【図４】同血圧測定装置の構成を示すブロック図。
【図５】同血圧測定装置の構成の一部を省略して示す斜視図。
【図６】同血圧測定装置の構成の一部を省略して示すとともに、給電部にコネクタを接続した使用の一例を示す斜視図。
【図７】同血圧測定装置の構成の一部を省略して示すとともに、給電部に他の例のコネクタを接続した使用の一例を示す斜視図。
【図８】同血圧測定装置の装置本体の構成を示す斜視図。
【図９】同装置本体の内部の構成を示す平面図。
【図１０】同装置本体の内部の構成を示す平面図。
【図１１】同血圧測定装置のカフ構造体の構成を示す平面図。
【図１２】同血圧測定装置のカーラ及びカフ構造体の構成を示すとともに、動脈を圧迫した状態の一例を示す断面図。
【図１３】同血圧測定装置を手首に装着した一例を示す斜視図。
【発明を実施するための形態】
【００２１】
以下、本発明の一実施形態に係る血圧測定装置１の一例について、図１乃至図１３を用いて以下例示する。
【００２２】
図１は、本発明の第１の実施形態に係る血圧測定装置１の構成を、ベルト４を閉じた状態で示す斜視図である。図２は、血圧測定装置１の構成を、ベルト４を開いた状態で示す斜視図である。図３は、血圧測定装置１の構成を示す分解斜視図である。図４は、血圧測定装置１の構成を示すブロック図である。図５は、血圧測定装置１の風防３２、表示部１２及び第１ベルト６１を省略して示す斜視図である。
【００２３】
図６は、血圧測定装置１の風防３２、表示部１２及びベルト４の一部を省略して示すとともに、コネクタ２１０を給電部８に接続した使用の一例を示す斜視図、図７は、コネクタ２１０の他の例を示す斜視図である。図８は、血圧測定装置１の装置本体３の構成を裏蓋３５側から示す斜視図である。図９及び図１０は、装置本体３の内部の構成をそれぞれ風防３２側及び裏蓋３５側から示す平面図である。図１１は、血圧測定装置１のカフ構造体６の構成をセンシングカフ７３側から示す平面図である。図１２は、血圧測定装置１のカーラ５及びカフ構造体６の構成を図１１中ＸＩ−ＸＩ線断面で模式的に示す断面図である。
【００２４】
血圧測定装置１は、生体に装着する電子血圧測定装置である。本実施形態においては、血圧測定装置１は、例えば、生体の手首１００に装着するウェアラブルデバイスの態様をもつ電子血圧測定装置を用いて説明する。なお、血圧測定装置１は、上腕に装着する電子血圧測定装置であってもよい。図１乃至図１３に示すように、血圧測定装置１は、装置本体３と、ベルト４と、カーラ５と、押圧カフ７１及びセンシングカフ７３を有するカフ構造体６と、流体回路７と、給電部８と、を備えている。
【００２５】
図１乃至図９に示すように、装置本体３は、ケース１１と、表示部１２と、操作部１３と、ポンプ１４と、流路部１５と、開閉弁１６と、圧力センサ１７と、電力供給部１８と、振動モータ１９と、制御基板２０と、を備えている。装置本体３は、ポンプ１４、開閉弁１６、圧力センサ１７及び制御基板２０等によって、押圧カフ７１に流体を供給する供給装置である。
【００２６】
ケース１１は、外郭ケース３１と、外郭ケース３１の上部開口を覆う風防３２と、外郭ケース３１の内部の下方に設けられた基部３３と、基部３３の裏面の一部を覆う流路カバー３４と、外郭ケース３１の下方を覆う裏蓋３５と、を備えている。また、ケース１１は、流体回路７の一部を構成する流路チューブ３６を備えている。
【００２７】
外郭ケース３１は、円筒状に形成される。外郭ケース３１は、外周面の周方向で対象位置にそれぞれ設けられた一対のラグ３１ａと、２つの一対のラグ３１ａ間にそれぞれ設けられるバネ棒３１ｂと、を備えている。風防３２は、円形状のガラス板である。
【００２８】
基部３３は、表示部１２、操作部１３、ポンプ１４、開閉弁１６、圧力センサ１７、電力供給部１８、振動モータ１９及び制御基板２０を保持する。また、基部３３は、流路部１５の一部を構成する。
【００２９】
流路カバー３４は、基部３３の裏蓋３５側の外面である裏面に固定される。基部３３及び流路カバー３４は、一方又は双方に溝が設けられることで、流路部１５の一部を構成する。
【００３０】
裏蓋３５は、外郭ケース３１の生体側の端部を覆う。裏蓋３５は、例えば４つのビス３５ａ等によって外郭ケース３１又は基部３３の生体側の端部に固定される。
【００３１】
流路チューブ３６は、流路部１５の一部を構成する。流路チューブ３６は、例えば、開閉弁１６及び基部３３の流路部１５を構成する一部を接続する。
【００３２】
表示部１２は、外郭ケース３１の基部３３上であって、且つ、風防３２の直下に配置される。表示部１２は、電気的に制御基板２０に接続される。表示部１２は、例えば、液晶ディスプレイ又は有機エレクトロルミネッセンスディスプレイである。表示部１２は、日時や最高血圧及び最低血圧などの血圧値や心拍数等の測定結果を含む各種情報を表示する。
【００３３】
操作部１３は、使用者からの指令を入力可能に構成される。例えば、操作部１３は、ケース１１に設けられた複数の釦４１と、釦４１の操作を検出するセンサ４２と、表示部１２又は風防３２に設けられたタッチパネル４３と、を備える。操作部１３は、使用者が操作することで、指令を電気信号に変換する。センサ４２及びタッチパネル４３は、電気的に制御基板２０に接続され、電気信号を制御基板２０へ出力する。
【００３４】
複数の釦４１は、例えば３つ設けられる。釦４１は、基部３３に支持されるとともに、外郭ケース３１の外周面から突出する。複数の釦４１及び複数のセンサ４２は、基部３３に支持される。タッチパネル４３は、例えば、風防３２に一体に設けられる。
【００３５】
ポンプ１４は、例えば圧電ポンプである。ポンプ１４は、空気を圧縮し、流路部１５を介して圧縮空気をカフ構造体６に供給する。ポンプ１４は、電気的に制御部５５に接続される。
【００３６】
流路部１５は、基部３３の裏蓋３５側の主面及び基部３３の裏蓋３５側を覆う流路カバー３４に設けられた溝等より構成された空気の流路である。流路部１５は、ポンプ１４から押圧カフ７１へつながる流路、及び、ポンプ１４からセンシングカフ７３へつながる流路を構成する。また、流路部１５は、押圧カフ７１から大気へつながる流路、及び、センシングカフ７３から大気へつながる流路を構成する。流路カバー３４は、押圧カフ７１及びセンシングカフ７３がそれぞれ接続される被接続部３４ａを有する。被接続部３４ａは、例えば、流路カバー３４に設けられた、円筒状のノズルである。
【００３７】
開閉弁１６は、流路部１５の一部を開閉する。開閉弁１６は、例えば、複数設けられ、各開閉弁１６の開閉の組み合わせによりポンプ１４から押圧カフ７１へつながる流路、ポンプ１４からセンシングカフ７３へつながる流路、押圧カフ７１から大気へつながる流路、及び、センシングカフ７３から大気へつながる流路を選択的に開閉する。例えば、開閉弁１６は、２つ用いられる。
【００３８】
圧力センサ１７は、押圧カフ７１及びセンシングカフ７３の圧力を検出する。圧力センサ１７は、電気的に制御基板２０に接続される。圧力センサ１７は、電気的に制御基板２０に接続され、検出した圧力を電気信号に変換し、制御基板２０へ出力する。圧力センサ１７は、例えば、ポンプ１４から押圧カフ７１へつながる流路、及び、ポンプ１４からセンシングカフ７３へつながる流路に設けられる。これらの流路は押圧カフ７１及びセンシングカフ７３と連続することから、これら流路内の圧力を押圧カフ７１及びセンシングカフ７３の内部空間の圧力となる。
【００３９】
電力供給部１８は、例えば、リチウムイオンバッテリ等の二次電池である。電力供給部１８は、制御基板２０に電気的に接続される。電力供給部１８は、制御基板２０に電力を供給する。
【００４０】
図４及び図６に示すように、制御基板２０は、例えば、基板５１と、加速度センサ５２と、通信部５３と、記憶部５４と、制御部５５と、を備えている。制御基板２０は、加速度センサ５２、通信部５３、記憶部５４及び制御部５５が基板５１に実装されることで構成される。
【００４１】
基板５１は、ケース１１の基部３３にビス等によって固定される。
【００４２】
加速度センサ５２は、例えば、３軸加速度センサである。加速度センサ５２は、装置本体３の互いに直交する３方向の加速度を表す加速度信号を制御部５５に出力する。例えば、加速度センサ５２は、検出された加速度から血圧測定装置１を装着した生体の活動量を測定するために用いられる。
【００４３】
通信部５３は、外部の装置と無線又は有線によって情報を送受信可能に構成される。通信部５３は、例えば、制御部５５によって制御された情報や測定された血圧値及び脈拍等の情報を、ネットワークを介して外部の装置へ送信し、また、外部の装置からネットワークを介してソフトウェア更新用のプログラム等を受信して制御部に送る。
【００４４】
本実施形態において、ネットワークは、例えばインターネットであるが、これに限定されず、病院内に設けられたＬＡＮ（Local Area Network）等のネットワークであってもよく、また、ＵＳＢ等の所定の規格の端子を有するケーブルなどを用いた外部の装置との直接的な通信であってもよい。このため、通信部５３は、無線アンテナ及びマイクロＵＳＢコネクタ等の複数を含む構成であってもよい。
【００４５】
記憶部５４は、血圧測定装置１全体及び流体回路７を制御するためのプログラムデータ、血圧測定装置１の各種機能を設定するための設定データ、圧力センサ１７で測定された圧力から血圧値や脈拍を算出するための算出データ等を予め記憶する。また、記憶部５４は、測定された血圧値や脈拍等の情報を記憶する。
【００４６】
制御部５５は、単数又は複数のＣＰＵにより構成され、血圧測定装置１全体の動作、及び、流体回路７の動作を制御する。制御部５５は、表示部１２、操作部１３、ポンプ１４、各開閉弁１６及び各圧力センサ１７に電気的に接続されるとともに、電力を供給する。制御部５５は、給電部８と電気的に接続される。制御部５５は、給電部８から供給された電力により、電力供給部１８を充電する。
【００４７】
また、制御部５５は、操作部１３及び圧力センサ１７が出力する電気信号に基づいて、表示部１２、ポンプ１４及び開閉弁１６の動作を制御する。
【００４８】
例えば、制御部５５は、図４に示すように、血圧測定装置１全体の動作を制御するメインＣＰＵ５６及び流体回路７の動作を制御するサブＣＰＵ５７を有する。例えば、サブＣＰＵ５７は、操作部１３から血圧を測定する指令が入力されると、ポンプ１４及び開閉弁１６を駆動して押圧カフ７１及びセンシングカフ７３に圧縮空気を送る。また、例えば、メインＣＰＵ５６は、電力供給部１８の放電可能な量を検出し、充電量を管理する。
【００４９】
また、サブＣＰＵ５７は、圧力センサ１７が出力する電気信号に基づいて、ポンプ１４の駆動及び停止、並びに、開閉弁１６の開閉を制御し、圧縮空気を押圧カフ７１及びセンシングカフ７３に選択的に送るとともに、押圧カフ７１及びセンシングカフ７３を選択的に減圧する。また、メインＣＰＵ５６は、圧力センサ１７が出力する電気信号から、最高血圧及び最低血圧などの血圧値や心拍数などの測定結果を求め、この測定結果に対応した画像信号を表示部１２へ出力する。
【００５０】
図１乃至図３に示すように、ベルト４は、一方の一対のラグ３１ａ及びバネ棒３１ｂに設けられた第１ベルト６１と、他方の一対のラグ３１ａ及びバネ棒３１ｂに設けられた第２ベルト６２と、を備える。ベルト４の幅は、カーラ５の長手方向の幅よりも大きく構成され、ベルト４は、カーラ５を覆う。
【００５１】
第１ベルト６１は、所謂親と呼ばれ、帯状に構成される。第１ベルト６１は、一方の端部に設けられ、第１ベルト６１の長手方向に直交する第１孔部６１ａと、他方の端部に設けられ、第１ベルト６１の長手方向に直交する第２孔部６１ｂと、第２孔部６１ｂに設けられた尾錠６１ｃと、を有する。第１孔部６１ａは、バネ棒３１ｂを挿入可能、且つ、バネ棒３１ｂに関して第１ベルト６１が回転可能な内径を有する。即ち、第１ベルト６１は、一対のラグ３１ａの間であって、且つ、バネ棒３１ｂに第１孔部６１ａが配置されることで、外郭ケース３１に回転可能に保持される。
【００５２】
第２孔部６１ｂは、第１ベルト６１の先端に設けられる。
【００５３】
尾錠６１ｃは、矩形枠状の枠状体６１ｄと、枠状体６１ｄに回転可能に取り付けられたつく棒６１ｅを有する。枠状体６１ｄは、つく棒６１ｅが取り付けられた一辺が第２孔部６１ｂに挿入され、第１ベルト６１に関して回転可能に取り付けられる。
【００５４】
第２ベルト６２は、所謂剣先と呼ばれ、枠状体６１ｄに挿入可能な幅を有する帯状に構成される。また、第２ベルト６２は、つく棒６１ｅが挿入される小孔６２ａを複数有する。
【００５５】
このようなベルト４は、第２ベルト６２が枠状体６１ｄに挿入され、小孔６２ａにつく棒６１ｅが挿入されることで、第１ベルト６１及び第２ベルト６２が一体に接続され、外郭ケース３１とともに、手首１００の周方向に倣った環状となる。
【００５６】
カーラ５は、樹脂材料で構成される。カーラ５は、手首の周方向に倣って湾曲する帯状に構成される。具体例として、カーラ５は、手首の周方向に沿って湾曲する帯状であって、一端と他端が隣接し、且つ、所定の間隔を開けて離間する。カーラ５は、一端側の外面が装置本体３の例えば裏蓋３５に固定される。また、カーラ５の一端側は、装置本体３から突出する。
【００５７】
カーラ５は、湾曲する外面又は内面に給電部８が設けられる。具体例として、カーラ５は、一端側の外面に、給電部８が設けられる窪み５ａを有する。窪み５ａは、裏蓋３５の下方から一端に向かって形成される。窪み５ａは、設けられた給電部８がカーラ５の外面から突出しない深さ、換言すると、当該給電部８がカーラ５の外面よりも内面側に位置する深さに構成される。
【００５８】
具体例として、図１乃至図６、図１３に示すように、カーラ５は、例えば、手首の周方向に対して直交する方向、換言すると手首の長手方向からの側面視で手首１００の周方向に沿って湾曲する形状を有する。カーラ５は、例えば、装置本体３から手首１００の手の甲側及び手首１００の一方の側方側を通って手首１００の手の平側へと渡り、手首１００の他方の側方側へと延びる。即ち、カーラ５は、手首の周方向に沿って湾曲することで、手首１００の周方向の大半に渡るとともに、両端が所定の間隔を有して離間する。また、カーラ５は、装置本体３から一端が突出するとともに、当該一端側の外面に給電部８が設けられる。
【００５９】
カーラ５は、可撓性及び形状保持性を有する硬さを有する。ここで、可撓性とは、カーラ５に外力が印加されたときに径方向に形状が変形することをいい、例えば、ベルト４によってカーラ５が押圧されたときに、手首に近接するか、手首の形状に沿うか、又は、手首の形状に倣うように側面視の形状が変形することをいう。また、形状保持性とは、外力が印加されないときに、カーラ５が予め賦形された形状を維持できること、本実施形態においてはカーラ５の形状が手首の周方向に沿って湾曲する形状を維持できることである。カーラ５は、樹脂材料で構成される。カーラ５は、例えば、ポリプロピレンによって厚さが１ｍｍ程度に形成される。カーラ５は、カーラ５の内面形状に沿ってカフ構造体６を保持する。
【００６０】
図１乃至図６、図１１乃至図１３に示すように、カフ構造体６は、押圧カフ７１と、背板７２と、センシングカフ７３と、を備えている。カフ構造体６は、押圧カフ７１、背板７２、及びセンシングカフ７３が積層され、一体に構成される。カフ構造体６は、カーラ５の内面に固定される。
【００６１】
押圧カフ７１は、カフの一例である。押圧カフ７１は、流路部１５を介してポンプ１４に流体的に接続される。押圧カフ７１は、膨張することで背板７２及びセンシングカフ７３を生体側に押圧する。押圧カフ７１は、複数の空気袋８１と、空気袋８１と連通するチューブ８２と、チューブ８２の先端に設けられた接続部８３と、を含む。
【００６２】
ここで、空気袋８１とは、袋状構造体であり、本実施形態においては血圧測定装置１がポンプ１４により空気を用いる構成であることから、空気袋を用いて説明するが、空気以外の流体を用いる場合には、袋状構造体は液体袋等の流体袋であってもよい。
【００６３】
複数の空気袋８１は、積層され、積層方向に流体的に連通する。具体例として、押圧カフ７１は、積層方向に流体的に連通する二層の空気袋８１と、一方の空気袋８１の長手方向の一方の端部に設けられたチューブ８２と、チューブ８２の先端に設けられた接続部８３と、を備える。
【００６４】
押圧カフ７１は、一方の空気袋８１の主面がカーラ５の内面に固定される。例えば、押圧カフ７１は、カーラ５の内面に両面テープや接着剤により貼付される。
【００６５】
二層の空気袋８１は、一方向に長い矩形状に構成される。空気袋８１は、例えば、一方向に長い二枚のシート部材８６を組み合わせ、縁部を熱により溶着することで構成される。具体例として、二層の空気袋８１は、図１０乃至図１２に示すように、生体側から、第１シート部材８６ａと、第１シート部材８６ａと一層目の空気袋８１を構成する第２シート部材８６ｂと、第２シート部材８６ｂと一体に接着される第３シート部材８６ｃと、第３シート部材８６ｃと二層目の空気袋８１を構成する第４シート部材８６ｄと、を備える。
【００６６】
第１シート部材８６ａ及び第２シート部材８６ｂは、四辺の周縁部が溶着されることで空気袋８１を構成する。第２シート部材８６ｂ及び第３シート部材８６ｃは、対向して配置され、それぞれ、二つの空気袋８１を流体的に連続させる複数の開口８６ｂ１、８６ｃ１を有する。第４シート部材８６ｄは、カーラ５側の外面に接着剤層や両面テープが設けられ、この接着剤層や両面テープによりカーラ５に貼付される。
【００６７】
第３シート部材８６ｃ及び第４シート部材８６ｄは、四辺の周縁部が溶着されることで空気袋８１を構成する。また、例えば、第３シート部材８６ｃ及び第４シート部材８６ｄの一辺に、空気袋８１の内部空間と流体的に連続するチューブ８２が配置され、溶着により固定される。例えば、第３シート部材８６ｃ及び第４シート部材８６ｄは、第３シート部材８６ｃ及び第４シート部材８６ｄの間にチューブ８２が配置された状態で四辺の周縁部を溶着して空気袋８１を成形することで、チューブ８２が一体に溶着される。
【００６８】
チューブ８２は、二層の空気袋８１の一方に接続されるとともに、空気袋８１の長手方向の一方の端部に設けられる。具体例として、チューブ８２は、二層の空気袋８１のカーラ５側であって、且つ、装置本体３に近い端部に設けられる。チューブ８２は、先端に、接続部８３を有する。チューブ８２は、流体回路７のうち、装置本体３と空気袋８１との間の流路を構成する。接続部８３は、流路カバー３４の被接続部３４ａに接続される。接続部８３は、例えばニップルである。
【００６９】
背板７２は、押圧カフ７１の第１シート部材８６ａの外面８６ａ１に、接着剤層や両面テープ等により貼付される。背板７２は、樹脂材料で形成され、板状に形成される。背板７２は、例えば、ポリプロピレンからなり、厚さが１ｍｍ程度の板状に形成される。背板７２は、形状追従性を有する。
【００７０】
ここで、形状追従性とは、配置される手首１００の被接触箇所の形状を倣うように背板７２が変形可能な機能をいい、手首１００の被接触箇所とは、背板７２と接触する領域をいい、ここでの接触とは、直接的な接触及び間接的な接触の双方を含む。
【００７１】
このため、形状追従性とは、押圧カフ７１に設けられた背板７２が、又は、押圧カフ７１及びセンシングカフ７３の間に設けられた背板７２が、背板７２自身が又は背板７２に設けられたセンシングカフ７３が手首１００に倣うか、又は、手首１００に倣い密着する程度まで変形する機能である。
【００７２】
例えば、背板７２は、背板７２の両主面に、それぞれ対向する位置にであって、且つ、背板７２の長手方向に等間隔に配置された複数の溝７２ａを有する。これにより、背板７２は、複数の溝７２ａを有する部位が溝７２ａを有さない部位に比べて薄肉となることで、複数の溝７２ａを有する部位が変形しやすいことから、手首１００の形状に倣って変形する形状追従性を有する。背板７２は、手首１００の手の平側を覆う長さに形成される。背板７２は、手首１００の形状に沿った状態で、押圧カフ７１からの押圧力をセンシングカフ７３の背板７２側の主面に伝達する。
【００７３】
センシングカフ７３は、背板７２の生体側の主面に固定される。センシングカフ７３は、図１３に示すように、手首１００の動脈が存する領域に直接接触する。センシングカフ７３は、背板７２の長手方向及び幅方向で、背板７２と同一形状か、又は、背板７２よりも小さい形状に形成される。センシングカフ７３は、膨張することで手首１００の手の平側の動脈１１０が存する領域を圧迫する。センシングカフ７３は、膨張した押圧カフ７１により、背板７２を介して生体側に押圧される。
【００７４】
具体例として、センシングカフ７３は、一つの空気袋９１と、空気袋９１と連通するチューブ９２と、チューブ９２の先端に設けられた接続部９３と、を含む。センシングカフ７３は、空気袋９１の一方の主面が背板７２に固定される。例えば、センシングカフ７３は、背板７２の生体側の主面に両面テープや接着剤層等により貼付される。
【００７５】
ここで、空気袋９１とは、袋状構造体であり、本実施形態においては血圧測定装置１がポンプ１４により空気を用いる構成であることから、空気袋を用いて説明するが、空気以外の流体を用いる場合には、袋状構造体は液体袋等であってもよい。このような複数の空気袋９１は、積層され、積層方向に流体的に連通する。
【００７６】
空気袋９１は、一方向に長い矩形状に構成される。空気袋９１は、例えば、一方向に長い二枚のシート部材を組み合わせ、縁部を熱により溶着することで構成される。具体例として、空気袋９１は、図１０及び図１１に示すように、生体側から第５シート部材９６ａ及び第６シート部材９６ｂを備える。
【００７７】
例えば、第５シート部材９６ａ及び第６シート部材９６ｂは、第５シート部材９６ａ及び第６シート部材９６ｂの一辺に、空気袋９１の内部空間と流体的に連続するチューブ９２が配置され、溶着により固定される。例えば、第５シート部材９６ａ及び第６シート部材９６ｂは、第５シート部材９６ａ及び第６シート部材９６ｂ間にチューブ９２が配置された状態で四辺の周縁部を溶着して空気袋９１を成形することで、チューブ９２が一体に溶着される。
【００７８】
チューブ９２は、空気袋９１の長手方向の一方の端部に設けられる。具体例として、チューブ９２は、空気袋９１の装置本体３に近い端部に設けられる。チューブ９２は、先端に、接続部９３を有する。チューブ９２は、流体回路７のうち、装置本体３と空気袋９１との間の流路を構成する。接続部９３は、流路カバー３４の被接続部３４ａに接続される。接続部９３は、例えばニップルである。
【００７９】
また、押圧カフ７１及びセンシングカフ７３を形成する各シート部材８６、９６は、熱可塑性エラストマーにより構成される。シート部材８６、９６を構成する熱可塑性エラストマーとしては、例えば、熱可塑性ポリウレタン系樹脂（Thermoplastic PolyUrethane、以下ＴＰＵと表記する）、塩化ビニル樹脂（PolyVinyl Chloride）、エチレン酢酸ビニル樹脂（Ethylene-Vinyl Acetate）、熱可塑性ポリスチレン系樹脂（Thermoplastic PolyStyrene）、熱可塑性ポリオレフィン樹脂（Thermoplastic PolyOlefin）、熱可塑性ポリエステル系樹脂（ThermoPlastic Polyester）及び熱可塑性ポリアミド樹脂（Thermoplastic PolyAmide）を用いることができる。熱可塑性エラストマーとしては、ＴＰＵを用いることが好ましい。シート部材は、単層構造を有していても良く、また、複層構造を有していても良い。
【００８０】
なお、シート部材８６、９６は、熱可塑性エラストマーに限定されず、シリコーン等の熱硬化性エラストマーであってもよく、また、熱可塑性エラストマー（例えばＴＰＵ）と熱硬化性エラストマー（例えばシリコーン）との組み合わせであっても良い。
【００８１】
シート部材８６、９６は、熱可塑性エラストマーを用いる場合には、Ｔダイ押し出し成形や射出成形等の成形方式が用いられ、熱硬化性エラストマーを用いる場合には、金型注型成形等の成形方式が用いられる。シート部材は、各成形方式で成形された後、所定の形状にサイジングされ、そして、サイジングした個片を接着や溶着等により接合することで空気袋８１、９１を構成する。接合の方式としては、熱可塑性エラストマーを用いる場合には、高周波ウェルダーやレーザー溶着が用いられ、熱硬化性エラストマーを用いる場合には、分子接着剤が用いられる。
【００８２】
流体回路７は、ケース１１、ポンプ１４、流路部１５、開閉弁１６、圧力センサ１７、押圧カフ７１、及び、センシングカフ７３によって構成される。流体回路７に用いられる二つの開閉弁１６を第１開閉弁１６Ａ及び第２開閉弁１６Ｂとし、二つの圧力センサ１７を第１圧力センサ１７Ａ及び第２圧力センサ１７Ｂとして、以下、流体回路７の具体例を説明する。
【００８３】
流体回路７は、図４に示すように、例えば、ポンプ１４から押圧カフ７１を連続する第１流路７ａと、第１流路７ａの中途部が分岐されることで構成され、ポンプ１４からセンシングカフ７３を連続する第２流路７ｂと、第１流路７ａと大気を接続する第３流路７ｃと、を備えている。また、第１流路７ａは、第１圧力センサ１７Ａを含む。第１流路７ａ及び第２流路７ｂの間には第１開閉弁１６Ａが設けられる。第２流路７ｂは、第２圧力センサ１７Ｂを含む。第１流路７ａ及び第３流路７ｃの間には、第２開閉弁１６Ｂが設けられる。
【００８４】
このような流体回路７は、第１開閉弁１６Ａ及び第２開閉弁１６Ｂが閉じることで、第１流路７ａのみがポンプ１４と接続し、ポンプ１４及び押圧カフ７１が流体的に接続される。流体回路７は、第１開閉弁１６Ａが開き、そして、第２開閉弁１６Ｂが閉じることで、第１流路７ａ及び第２流路７ｂが接続され、ポンプ１４及び押圧カフ７１、並びに、ポンプ１４及びセンシングカフ７３が流体的に接続される。流体回路７は、第１開閉弁１６Ａが閉じ、そして、第２開閉弁１６Ｂが閉じることで、第１流路７ａ及び第３流路７ｃが接続され、押圧カフ７１及び大気が流体的に接続される。流体回路７は、第１開閉弁１６Ａ及び第２開閉弁１６Ｂが開くことで、第１流路７ａ、第２流路７ｂ及び第３流路７ｃが接続され、押圧カフ７１、センシングカフ７３及び大気が流体的に接続される。
【００８５】
給電部８は、図５に示すように、装置本体３から突出するカーラ５の一端側の外面に設けられた窪み５ａに、カーラ５と一体に設けられる。例えば、給電部８は、カーラ５を成形するときにインサートされる。図６に示すように、充電器の充電ケーブル２００の先端に設けられたコネクタ２１０と接続可能、且つ、コネクタ２１０を固定可能に構成される。
【００８６】
給電部８は、配線部８ａと、給電端子８ｂと、を備えている。配線部８ａは、一端が給電端子８ｂに、他端が制御部５５に接続される。給電端子８ｂは、例えば円形状に構成され、二つ設けられる。
【００８７】
また、コネクタ２１０は、例えば、矩形板状に構成された本体２１１と、本体２１１の一方の主面に設けられ、給電端子８ｂと接続される接続端子２１２と、本体２１１の一方の主面に設けられ、カーラ５を挟む板状のクリップ部２１３と、カーラ５を給電位置に案内する案内部２１４と、を備えている。
【００８８】
本体２１１は、充電ケーブル２００の端部を覆うとともに、充電ケーブル２００と接続される接続端子２１２を保持する。また、本体２１１には、案内部２１４が一体に成形され、そして、クリップ部２１３が回転可能に取り付けられる。接続端子２１２は、給電端子８ｂと同数設けられ、給電端子８ｂと電気的に接続される。接続端子２１２は、本体２１１内で充電ケーブル２００と電気的に接続される。
【００８９】
クリップ部２１３は、本体２１１を、案内部２１４により給電位置に配置されたカーラ５に固定するための固定手段である。クリップ部２１３は、先端が常時コネクタ２１０の一方の主面に付勢され、後端を押圧することで、コネクタ２１０の一方の主面から離間することが可能に、バネ等を含む回転軸２１３ａを有する。案内部２１４は、例えば、コネクタ２１０の主面に設けられ、カーラ５の先端と当接する突起である。案内部２１４は、給電端子８ｂが接続端子２１２と対向する位置でカーラ５と当接することで、カーラ５を給電位置に案内する。
【００９０】
なお、コネクタ２１０は、固定手段としてクリップ２１３を用いる例を挙げたが、図７に示すように、例えば、給電部８及びコネクタ２１０は、一方に永久磁石が設けられ、他方に磁性体を設けることで、給電部８にコネクタ２１０を固定可能な構成であってもよい。即ち、固定手段は、コネクタ２１０を給電部８に電気的に接続した状態で、本体２１１をカーラ５に固定できればよい。なお、永久磁石と磁性体を固定手段とする場合には、固定手段は、永久磁石と磁性体の大きさを同じにすることで、案内部２１４の機能も備えることになる。
【００９１】
このように構成された血圧測定装置１によれば、ベルト４は、外郭ケース３１の一対のラグ３１ａ及びバネ棒３１ｂに、第１ベルト６１及び第２ベルト６２がそれぞれ回転可能に保持され、カーラ５は、装置本体３の裏蓋３５に固定される。このため、血圧測定装置１は、手首１００に非装着のときには、即ち、ベルト４が開いた状態においては、カーラ５に対して第１ベルト６１及び第２ベルト６２が離間できるため、図６に示すように、充電ケーブル２００のコネクタ２１０を給電部８に接続し、充電することができる。
【００９２】
また、図１３に示すように、血圧測定装置１が手首１００に装着されたときに、ベルト４はカーラ５を覆うため、給電部８は、ベルト４に覆われることになる。即ち、給電部８が外部に露出することがないことから、給電部８はベルト４によって保護されるため、血圧測定装置１は、使用者が装着している間、給電部８が汚れることや損傷することを防止できる。また、例えば、本実施形態のように、カーラ５に窪み５ａを設け、窪み５ａに給電部８を配置する構成とすることで、ベルト４と給電部８が接触することを防止できるため、繰り返し装着したときに、ベルト４によって給電部８が損傷することも防止できる。
【００９３】
また、カーラ５の装置本体３に近い一端に給電部８を設けることで、給電端子８ｂと装置本体３の例えば制御部５５との距離を極力短くすることができることから、配線部８ａの長さを抑えることができる。
【００９４】
このように構成された血圧測定装置１は、カーラ５に対して近接及び離間可能なベルト４でカーラ５を覆うとともに、カーラ５の外面に給電部８を設ける構成とした。この構成により、給電部８は、血圧測定装置１を手首１００に装着したときにベルト４によって覆われることから、当該装着時に給電部８が外部に露出することを防止できる。また、血圧測定装置１は、ベルト４が装置本体３に回転可能に取り付けられることから、血圧測定装置１の充電時において、ベルト４をカーラ５から離間させることが可能となり、充電ケーブル２００のコネクタ２１０を給電端子８ｂに取り付けるときには、カーラ５からベルト４を離間させてコネクタ２１０を給電端子８ｂに固定すればよく、充電時において、高い使用性を有する。
【００９５】
また、血圧測定装置１は、装置本体３に近接するカーラ５の一端の外面の窪み５ａに給電部８を設けることで、給電部８の装置本体３からの長さを極力短くできるとともに、手首１００へ装着したときにベルト４がカーラ５と干渉することを防止できる。
【００９６】
さらに、カーラ５に設けられた給電部８に電気的に接続されるコネクタ２１０は、固定手段によって給電端子８ｂに接続端子２１２が接続された状態でカーラ５に本体２１１を固定する構成としたことで、カーラ５に容易に取り付けられる。このため、コネクタ２１０は、高い使用性を有する。また、給電端子８ｂに接続端子２１２が対向する給電位置にカーラ５を案内可能に、本体２１１にカーラ５と当接する案内部２１４を設けることで、給電端子８ｂに対して接続端子２１２を位置合わせすることが容易となり、高い使用性を有する。
【００９７】
上述したように本実施形態に係る血圧測定装置１は、手首１００へ装着したときに給電部８が外部に露出することを防止し、また、高い使用性を有する。
【００９８】
なお、本発明は上述した実施形態に限定されず、例えば、カーラ５の一端を覆うベルト４は、第１ベルト６１であっても、第２ベルト６２であってもよい。また、カーラ５は、一端が装置本体３から突出せずに、装置本体３の内部に固定される構成であってもよい。このような構成とした場合には、カーラ５の装置本体３に隣接する部位に窪み５ａ及び給電部８を設ければ、上述した血圧測定装置１と同様の効果を生じる。また、カーラ５の他端に給電部８を設ける構成であってもよく、さらに、給電部８は、配線部８ａをカーラ５の内部に配置し、給電端子８ｂのみをカーラ５の外面から露出させる構成であってもよい。
【００９９】
即ち、上述した各実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【符号の説明】
【０１００】
１…血圧測定装置、３…装置本体、４…ベルト、５…カーラ、６…カフ構造体、７…流体回路、７ａ…第１流路、７ｂ…第２流路、７ｃ…第３流路、８…給電部、８ａ…配線部、８ｂ…給電端子、１１…ケース、１２…表示部、１３…操作部、１４…ポンプ、１５…流路部、１６…開閉弁、１６Ａ…第１開閉弁、１６Ｂ…第２開閉弁、１７…圧力センサ、１７Ａ…第１圧力センサ、１７Ｂ…第２圧力センサ、１８…電力供給部、１９…振動モータ、２０…制御基板、３１…外郭ケース、３１ａ…ラグ、３１ｂ…バネ棒、３２…風防、３３…基部、３４…流路カバー、３４ａ…被接続部、３５…裏蓋、３５ａ…ビス、３６…流路チューブ、４１…釦、４２…センサ、４３…タッチパネル、５１…基板、５２…加速度センサ、５３…通信部、５４…記憶部、５５…制御部、６１…第１ベルト、６１ａ…第１孔部、６１ｂ…第２孔部、６１ｃ…尾錠、６１ｄ…枠状体、６１ｅ…棒、６２…第２ベルト、６２ａ…小孔、７１…押圧カフ、７２…背板、７２ａ…溝、７３…センシングカフ、８１…空気袋、８２…チューブ、８３…接続部、８６…シート部材、８６ａ…第１シート部材、８６ａ１…外面、８６ｂ…第２シート部材、８６ｂ１…開口、８６ｃ…第３シート部材、８６ｃ１…開口、８６ｄ…第４シート部材、９１…空気袋、９２…チューブ、９３…接続部、９６…シート部材、９６ａ…第５シート部材、９６ｂ…第６シート部材、１００…手首、１１０…動脈、２００…充電ケーブル、２１０…コネクタ、２１１…本体、２１２…接続端子、２１３…クリップ部（固定手段）、２１３ａ…回転軸、２１４…案内部。
【図１】
2019118439.tif 000003
【図２】
2019118439.tif 000004
【図３】
2019118439.tif 000005
【図４】
2019118439.tif 000006
【図５】
2019118439.tif 000007
【図６】
2019118439.tif 000008
【図７】
2019118439.tif 000009
【図８】
2019118439.tif 000010
【図９】
2019118439.tif 000011
【図１０】
2019118439.tif 000012
【図１１】
2019118439.tif 000013
【図１２】
2019118439.tif 000014
【図１３】
2019118439.tif 000015